(57)【要約】　　　（修正有）【課題】ユーザから地域に密着した情報を得る情報検索システムを提供する。【解決手段】ユーザの位置に関する情報をユーザ情報データベース２２に記憶させる。情報検索を要求する情報検索ユーザＸに、要求情報に関する地域情報ａが含まれている情報の送信を促す。情報検索ユーザからの検索要求に関する情報が情報データベース２０に記憶されている情報から検索されなかった場合に、前記ユーザ情報データベース２２に記憶されているユーザの位置情報が、前記検索要求に関する情報に含まれている要求情報に関する地域情報ａの地域に含まれている情報提供ユーザＹに前記要求情報の情報提供を促し、前記情報検索手段２８によって前記要求情報が検索された場合、又は前記送受信部１６によって前記情報提供ユーザＹから前記要求情報が受信された場合、検索された又は受信された要求情報を前記情報検索ユーザＸに送信する情報検索システムである。【選択図】図１
2004038300.tif 000002
【特許請求の範囲】
【請求項１】
検索される様々な情報が記憶されている情報データベースと、
ユーザに関する情報が記憶されているユーザ情報データベースと、
該ユーザ情報データベースに記憶されているユーザと情報の送受信を行う送受信部と、
前記ユーザ情報データベースに記憶されているユーザの位置を検索し、そのユーザの位置に関する情報を前記ユーザ情報データベースに記憶させるユーザ位置情報検索手段と、
ユーザ情報データベースに記憶されているユーザのうち、情報検索を要求する情報検索ユーザに、少なくとも前記情報検索ユーザが要求している要求情報に関する地域情報が含まれている検索要求に関する情報の送信を促す検索要求促し手段と、
前記送受信部によって前記情報検索ユーザからの検索要求に関する情報が受信されると、該検索要求に関する情報に基づいて前記要求情報を前記情報データベースに記憶されている情報から検索する情報検索手段と、
該情報検索手段によって前記要求情報が検索されなかった場合に、前記ユーザ情報データベースに記憶されているユーザの位置情報が、前記検索要求に関する情報に含まれている要求情報に関する地域情報の地域に含まれている情報提供ユーザに前記要求情報の情報提供を促す情報提供促し手段と、
前記情報検索手段によって前記要求情報が検索された場合、又は前記送受信部によって前記情報提供ユーザから前記要求情報が受信された場合、検索された又は受信された要求情報を前記情報検索ユーザに送信する検索情報送信手段と、
を備えたことを特徴とする情報検索システム。
【請求項２】
前記送受信部によって前記情報提供ユーザから前記要求情報が受信された場合、受信された要求情報を前記情報データベースに記憶させる情報記憶手段をさらに備えたことを特徴とする請求項１記載の情報検索システム。
【請求項３】
前記検索要求促し手段は、検索要求に関する情報を促す際に、前記ユーザ情報データベースに記憶されている情報検索ユーザの位置情報を前記情報検索ユーザに知らせるよう構成されていることを特徴とする請求項１又は２記載の情報提供システム。
【発明の詳細な説明】
【０００１】
【発明の属する技術分野】
本発明は、インターネット又はイントラネットなどのコンピュータネットワークに接続されたコンピュータ、移動体電話又はＰＤＡなどから様々な情報を検索可能な情報検索システムに関する。
【０００２】
【従来の技術】
従来から、インターネット又はイントラネットなどのコンピュータネットワークに接続されたコンピュータ、移動体電話又はＰＤＡなどから様々な情報を検索可能な情報検索システムが存在する。この種の情報検索システムは、コンピュータネットワークに接続されたクライアントコンピュータ又は移動体電話などで所定のカテゴリーを選択させ、要求している情報のキーワードを入力させ、データベースに記憶されている情報の中からそれら選択されたカテゴリー及び入力されたキーワードなどに当てはまる情報を検索し、検索結果をクライアントコンピュータなどに通知するよう構成されている。そして、要求されている情報を検索することができなかった場合、データベースに要求されている情報がないことをクライアントコンピュータなどに通知するよう構成されている。
【０００３】
一方、このような情報検索システムのデータベースに記憶されている情報は、定期的なメンテナンスによって更新され、記憶されている情報の修正、追加などが行われているが、このように情報の修正、追加などの更新が定期的に行われる場合、次の定期的な更新まで情報の修正、追加がなされず、的確な情報を検索することができない期間が長くなってしまい、データベースの利用価値が少なくなってしまうという問題がある。
【０００４】
この問題を可決するものとして、情報検索システムのデータベースに所望の情報が記憶されていない場合に、そのコンピュータネットワークに接続された、又は接続可能な所定のクライアントコンピュータなどに情報の提供を促し、それら所定のクライアントコンピュータなどから情報が送信されると、その情報をデータベースに記憶させることによって、情報の修正、追加を行う情報検索システムがある（特開２０００−１９４７０７号）。そして、このような情報検索システムは、検索要求に回答可能と思われるユーザを自動的に判別し、そのユーザに情報の提供を促すことにより、情報検索システムの利用効率を高めている。
【０００５】
【発明が解決しようとする課題】
しかしながら、このような情報検索システムは、自動的に回答可能と思われるユーザを判別しているものの、そのようなユーザの判別は、情報提供者として必ずしも適切ではなく、所望の情報を得ることができなかったり、また適切でない情報を多く受けてしまう場合があり、特に特定の地域に密着した的確な情報を得ることができない。
【０００６】
そこで、本発明は、所定のユーザから地域に密着した的確な情報を得ることができる情報検索システムを提供することを目的とする。
【０００７】
【課題を解決するための手段】
以上の目的を達成するため、本発明は、検索される様々な情報が記憶されている情報データベースと、ユーザに関する情報が記憶されているユーザ情報データベースと、該ユーザ情報データベースに記憶されているユーザと情報の送受信を行う送受信部と、前記ユーザ情報データベースに記憶されているユーザの位置を検索し、そのユーザの位置に関する情報を前記ユーザ情報データベースに記憶させるユーザ位置情報検索手段と、ユーザ情報データベースに記憶されているユーザのうち、情報検索を要求する情報検索ユーザに、少なくとも前記情報検索ユーザが要求している要求情報に関する地域情報が含まれている検索要求に関する情報の送信を促す検索要求促し手段と、前記送受信部によって前記情報検索ユーザからの検索要求に関する情報が受信されると、該検索要求に関する情報に基づいて前記要求情報を前記情報データベースに記憶されている情報から検索する情報検索手段と、該情報検索手段によって前記要求情報が検索されなかった場合に、前記ユーザ情報データベースに記憶されているユーザの位置情報が、前記検索要求に関する情報に含まれている要求情報に関する地域情報の地域に含まれている情報提供ユーザに前記要求情報の情報提供を促す情報提供促し手段と、前記情報検索手段によって前記要求情報が検索された場合、又は前記送受信部によって前記情報提供ユーザから前記要求情報が受信された場合、検索された又は受信された要求情報を前記情報検索ユーザに送信する検索情報送信手段と、を備えたことを特徴とする情報検索システムである。
【０００８】
以上のように、本発明に係る情報検索システムによれば、検索要求に関する情報に要求情報に関する地域情報を含ませ、その地域に位置する情報提供ユーザに情報提供を促しているので、地域に密着した所望の情報をより的確に得ることができる。
【０００９】
本発明に係る情報検索システムにおいて、前記送受信部によって前記情報提供ユーザから前記要求情報が受信された場合、受信された要求情報を前記情報データベースに記憶させる情報記憶手段をさらに備えていることが好ましく、このように情報記憶手段をさらに備えることにより、情報データベースに記憶されていない新たな情報を随時記憶させ追加することができ、また情報データベースに記憶されている情報を随時書き換えて更新することができる。
【００１０】
また、本発明に係る情報検索システムにおいて、前記検索要求促し手段は、検索要求に関する情報を促す際に、前記ユーザ情報データベースに記憶されている情報検索ユーザの位置情報を前記情報検索ユーザに知らせるよう構成されていることが好ましく、このように構成することにより、検索ユーザは、自らの位置を容易に知ることができ、検索要求に関する情報の地域を自らの位置の地域とする場合、容易にその地域に関する情報を検索要求に関する情報に含ませることができる。
【００１１】
【発明の実施の形態】
次に、本発明に係る情報検索システムの実施例を図面に基づいて説明する。図１は、本実施例に係る情報検索システムの概略図である。本実施例に係る情報検索システムは、移動体電話のユーザが移動体電話を介して利用することができる情報検索システムである。
【００１２】
本実施例に係る情報検索システム１０は、様々な情報などが記憶されている記憶部１２と、プログラムが格納されているメモリ１４と、後述するユーザ情報データベースに記憶されているユーザと情報の送受信を行う送受信部１６と、メモリ１４に格納されている各プログラム２４、２６、２８、３０、３２、３４を実行させ、送受信部１６を制御する制御部１８と、を備えている。
【００１３】
記憶部１２は、検索される様々な情報が記憶されている情報データベース２０と、ユーザに関する情報が記憶されているユーザ情報データベース２２と、を備えている。情報データベース２０は、図２に示すように、キーワード、地域、カテゴリーなどの項目毎に整理して各情報を記憶している。ユーザ情報データベース２２は、ユーザが所有する移動体電話の番号の他、後述するユーザ位置検索プログラム２４によって検索された各ユーザの位置情報などを記憶している。
【００１４】
メモリ１４は、ユーザ情報データベース２２に記憶されているユーザの位置を検索するユーザ位置検索プログラム２４と、ユーザ情報データベース２２に記憶されているユーザのうち、情報の検索を要求する情報検索ユーザに検索要求に関する情報の送信を促す検索要求促しプログラム２６と、情報検索ユーザからの検索要求に関する情報に基づいて情報検索ユーザが要求している要求情報を情報データベース２２に記憶されている情報から検索する情報検索プログラム２８と、ユーザ情報データベース２２に記憶されている所定のユーザに要求情報の情報提供を促す情報提供促しプログラム３０と、要求情報を情報検索ユーザに送信する情報送信プログラム３２と、情報提供促しプログラム３０によって促された情報提供ユーザから受信した要求情報を情報データベース２０に記憶させる情報記憶プログラム３４と、を格納している。
【００１５】
ユーザ位置検索プログラム２４は、ユーザ情報データベースに記憶されているユーザが所有する移動体電話の位置に関する情報を移動体電話の基地局Ｚから送受信部１６に受信させ、送受信部１６によって受信されたユーザの位置情報をユーザ情報データベース２２に記憶させ、ユーザの位置情報を随時更新を行うプログラムである。
【００１６】
検索要求促しプログラム２６は、送受信部１６が、情報検索ユーザの移動体電話Ｘから情報検索を要求する事に関する情報を受信すると、情報検索のための情報を送受信部１６からその移動体電話Ｘに送信させるプログラムである。情報検索のための情報は、図３に示すように、地域ａ、カテゴリーｂ、サブカテゴリーｃに関する情報を選択し、キーワードｄを入力することが可能な情報であり、地域ａ、カテゴリーｂ、サブカテゴリーｃに関する情報は、プルダウン形式で選択できるよう構成されている。
【００１７】
情報検索プログラム２８は、送受信部１６が、情報検索ユーザの移動体電話Ｘから検索要求に関する情報、すなわち検索要求促しプログラム２６によって送受信部１６からその移動体電話Ｘに送信された情報検索のための情報に基づいて選択された地域、カテゴリーなどに関する情報及び入力されたキーワードに関する情報を受信すると、その検索要求に関する情報に基づいて情報データベース２０に記憶されている情報から要求情報を検索するプログラムである。
【００１８】
情報提供促しプログラム３０は、情報検索プログラム２８によって要求情報が検索されなかった場合、ユーザ情報データベース２２に記憶されているユーザの位置情報が検索要求に関する情報のうち地域情報の地域に含まれている情報提供ユーザの移動体電話Ｙに情報提供を促す情報を送受信部１６によって送信させるプログラムである。情報提供を促す情報は、図４に示すように、検索要求に関する情報と同様に地域ａ、カテゴリーｂ、サブカテゴリーｃ、キーワードｄに関する情報が含まれており、情報入力欄ｅに要求情報を入力できるように構成されている。また、情報提供促しプログラム３０は、後述する情報送信プログラム３２から情報検索ユーザに送信される再情報の提供の要求を促す情報に基づく再情報の提供の要求に関する情報を送受信部１６が情報検索ユーザから受信した場合にも、ユーザ情報データベース２２に記憶されているユーザの位置情報が検索要求に関する情報のうち地域情報の地域に含まれている情報提供ユーザの移動体電話Ｙに情報提供を促す情報を送受信部１６によって送信させるよう構成されている。
【００１９】
情報送信プログラム３２は、情報検索プログラム２８によって、要求情報が検索された場合、又は情報提供促しプログラム３０によって送信された情報提供を促す情報に基づいて情報提供ユーザの移動体電話Ｙから要求情報が送受信部１６によって受信された場合、その要求情報を送受信部１６から情報検索ユーザの移動体電話Ｘに送信するプログラムである。送信される要求情報としては、図５に示すように、要求している情報のテキストデータ又は要求しているデータが掲載されているホームページのＵＲＬが記載されたテキストデータなどがあり、その要求情報には、再情報提供の要求を促す情報ｆ、すなわち情報検索ユーザが受信した情報が所望のものと異なる場合に、さらに情報の提供を要求することを促す情報が含まれている。情報検索ユーザは、この再情報提供の要求を促す情報をクリックすることによって本実施例に係る情報検索システムに再情報提供を要求することができる。また、情報送信プログラム３２は、上記要求情報が検索されなかった場合、検索結果がなかったことに関する情報を送受信部１６から情報検索ユーザの移動体電話Ｘに送信させるよう構成されている。
【００２０】
情報記憶プログラム３４は、情報提供情報提供ユーザから受信した要求情報を情報データベース２０に記憶させる際に、その要求情報が記憶される適切なレジストリなどの保存領域が存在しない場合、情報データベース２０内に新しい保存領域を作成し、その保存領域に受信した情報を記憶させるよう構成されている。
【００２１】
次に、本実施例に係る情報検索システムの実施例の動作について図６に示すフローチャートに基づいて説明する。なお、ユーザ位置検索プログラム２４は、常に稼動し、ユーザ情報データベース２２に記憶されているユーザが所有する移動体電話の位置に関する情報を移動体電話の基地局から送受信部１６に受信させ、送受信部１６によって受信されたユーザの位置情報をユーザ情報データベース２２に記憶させ、随時ユーザの位置情報の更新を行っている。
【００２２】
先ず、情報検索ユーザがその移動体電話Ｘから情報検索を要求する事に関する情報を本実施例に係る情報検索システムの送受信部１６に送信すると（Ｓ１００）、情報検索システムの送受信部１６がその情報を受信し（Ｓ２００）、次いで検索要求促しプログラム２６が稼動し、情報検索のための情報を送受信部１６からその移動体電話Ｘに送信させる（Ｓ２０２）。次に、情報検索ユーザが、その情報を受信し（Ｓ１０２）、受信した情報検索のための情報に基づいて、要求情報に関する地域ａ、カテゴリーｂ、サブカテゴリーｃを選択するとともにキーワードｄを入力し、それら選択及び入力した検索要求に関する情報を移動体電話Ｘから情報検索システムの送受信部１６に送信すると（Ｓ１０４）、情報検索システムの送受信部１６は、その情報を受信し（Ｓ２０４）、次いで情報検索プログラム２８が稼動し、その検索要求に関する情報に基づいて情報データベース２０に記憶されている情報から要求情報を検索する（Ｓ２０６）。
【００２３】
ステップ２０６において、要求情報が検索された場合、情報送信プログラム３２が稼動し、送受信部１６がその要求情報を情報検索ユーザの移動体電話Ｘに送信する（Ｓ２１４）。ステップ２０６において、要求情報が検索されなかった場合、先ず、情報送信プログラム３２が稼動し、送受信部１６から検索結果がなかったことに関する情報を情報検索ユーザの移動体電話Ｘに送信する（Ｓ２０８）。また、それと同時に、情報提供促しプログラム３０が稼動し、送受信部１６がユーザ情報データベース２２に記憶されているユーザの位置情報が検索要求に関する情報のうち地域情報の地域に含まれている情報提供ユーザの移動体電話Ｙに情報提供を促す情報を送信する（Ｓ２１０）。
【００２４】
情報提供ユーザは、その移動体電話Ｙがその情報を受信し（Ｓ３００）、その情報に基づく情報提供が可能な場合は、要求情報を情報検索システムの送受信部１６に送信する（Ｓ３０２）。
【００２５】
情報検索システムの送受信部１６が情報提供ユーザの移動体電話Ｙから要求情報を受信すると（Ｓ２１２）、先ず、情報送信プログラム３２が稼動し、送受信部１６がその情報を情報検索ユーザの移動体電話Ｘに送信する（Ｓ２１４）。また、同時に、情報記憶プログラム３４が稼動し、情報データベース２０内に新しい保存領域を作成し、その保存領域内に情報提供ユーザの移動体電話Ｘから受信した要求情報を情報データベース２０に記憶させる（Ｓ２１６）。
【００２６】
情報検索ユーザは、その移動体電話Ｘが受信した要求情報が所望のものと異なる場合、その受信した情報に含まれている再情報提供の要求を促す情報ｆに基づいて、再情報提供の要求に関する情報を情報検索システムの送受信部１６に送信することができる（Ｓ１０８）。情報検索システムの送受信部１６がその情報を受信すると（Ｓ２１８）、ステップ２１０に戻って情報提供ユーザの移動体電話Ｙに情報提供を促す情報を送信する。情報検索システムの送受信部１６がそのような情報を受信しなかった場合、情報検索システムの動作は、終了する。
【００２７】
なお、上記実施例に係る情報検索システムおいては、要求情報に関する地域情報を選択可能な情報検索のための情報を情報検索ユーザの移動体電話Ｘに送信するよう構成しているが、ユーザ位置検索プログラムによって検索される位置が含まれる地域が選択された状態の情報検索のための情報を情報検索ユーザの移動体電話Ｘに送信しても良く、このように構成することにより情報検索ユーザは、要求する情報に関する地域を選択する手間を省くことができる。
【００２８】
また、本実施例に係る情報検索システムにおいて、情報送信プログラム３２は、情報提供を促す情報に基づいて情報提供ユーザから受信した要求情報を送信する場合、その送信する情報の量を制限するよう構成しても良い。制限の方法としては、例えば、１０分以内に受信した情報など時間的制限や受信した最初の５件など件数的制限がある。
【００２９】
さらに、本実施例に係る情報検索システムにおいて、情報記憶プログラム３４も同様に登録する情報の量を制限するよう構成しても良い。制限の方法としては、時間的制限や件数的制限の他、情報の的確性を向上させるため、同一内容の情報が２件以上ある情報のみ登録する、又は同一内容の情報の件数の上位ベスト５のみ登録するなどがある。
【００３０】
またさらに、本実施例に係る情報検索システムにおいて、ユーザ一位置検索プログラム２４は、移動体電話の基地局から移動体電話の位置に関する情報を得るよう構成しているが、ＧＰＳなどを利用して移動体電話の位置に関する情報を得ても良い。
【００３１】
【発明の効果】
以上のように本発明に係る情報検索システムによれば、検索要求に関する情報に要求情報に関する地域情報を含ませ、その地域に位置する情報提供ユーザに情報提供を促しているので、地域に密着した所望の情報をより的確に得ることができる情報検索システムを提供することができる。
【図面の簡単な説明】
【図１】本発明に係る情報検索システムの実施例を示す概念図である。
【図２】本実施例に係る情報検索システムの情報データベースの概念図である。
【図３】本実施例に係る情報検索システムによって情報検索ユーザの移動体電話に送信された情報検索のための情報が表示された状態を示す図である。
【図４】本実施例に係る情報検索システムによって情報提供ユーザの移動体電話に送信された情報提供を促す情報が表示された状態を示す図である。
【図５】本実施例に係る情報検索システムによって情報検索ユーザの移動体電話に送信された要求情報が表示された状態を示す図である。
【図６】本実施例に係る情報検索システムの動作を示すフローチャートである。
【符号の説明】
１６　　　　送受信部
２０　　　　情報データベース
２２　　　　ユーザ情報データベース
２４　　　　ユーザ位置検索プログラム
２６　　　　検索要求促しプログラム
２８　　　　情報検索プログラム
３０　　　　情報提供促しプログラム
３２　　　　情報送信プログラム
３４　　　　情報記憶プログラム
【図１】
2004038300.tif 000003
【図２】
2004038300.tif 000004
【図３】
2004038300.tif 000005
【図４】
2004038300.tif 000006
【図５】
2004038300.tif 000007
【図６】
2004038300.tif 000008